【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
安全剃刀用シェービングエイドボディ（１０）であって、
前記シェービングエイドボディ（１０）が未使用状態にある時には、少なくとも１つの非接触部分（１４）から隆起している少なくとも１つの接触部分（１２）と、
前記シェービングエイドボディ（１０）内に配置されている開口（１６）と、
を含み、
前記少なくとも１つの接触部分（１２）の最高の３点が１つの面（４０）を限定し、前記少なくとも１つの非接触部分（１４）が前記面（４０）に平行な１つの表面を限定し、  前記シェービングエイドボディ（１０）は、前記面（４０）上に投影された前記接触部分（１２）の面積及び前記非接触部分（１４）の面積から、前記面（４０）上に投影された前記開口（１６）の面積を除外した面積として定義される投影面積（６０）を有し、
前記接触部分（１２）は、前記面（４０）上に投影された前記接触部分（１２）の面積から、前記接触部分（１２）内に位置し前記面（４０）上に投影された前記開口（１６）の面積を除外した面積として定義される接触面積を有し、
前記接触面積は、前記シェービングエイドボディ（１０）の前記投影面積（６０）の50％より大きくなく、
前記シェービングエイドボディ（１０）が使用されると前記接触部分（１２）が浸食されてシェービングエイドが第１のレートでユーザの肌に塗布され、
前記接触部分が実質的に平坦になるように浸食されると前記シェービングエイドが前記第１のレートより高い第２のレートで前記ユーザの肌に塗布される、
ことを特徴とするシェービングエイドボディ（１０）。
【請求項２】
前記接触面積は、前記投影面積（６０）の20％より大きくないことを特徴とする請求項１に記載のシェービングエイドボディ（１０）。
【請求項３】
前記接触面積は、前記投影面積（６０）の10％より大きくないことを特徴とする請求項１に記載のシェービングエイドボディ（１０）。
【請求項４】
前記投影面積（６０）は、長さ（６２）及び幅（６４）を有し、前記長さ（６２）は前記幅（６４）より大きいことを特徴とする請求項１に記載のシェービングエイドボディ（１０）。
【請求項５】
前記投影面積（６０）は、実質的に長円形であることを特徴とする請求項４に記載のシェービングエイドボディ（１０）。
【請求項６】
前記接触部分（１２）及び前記非接触部分（１４）は連続していて１つの表面を限定しており、前記表面は前記長さ（６２）に平行な且つ前記面（４０）に直角な方向に凸であることを特徴とする請求項４に記載のシェービングエイドボディ（１０）。
【請求項７】
前記凸は、少なくとも35ｍｍの半径を有する円弧（１３２）を限定していることを特徴とする請求項６に記載のシェービングエイドボディ（１０）。
【請求項８】
前記凸は、約65ｍｍの半径を有する円弧（１３２）を限定していることを特徴とする請求項６に記載のシェービングエイドボディ（１０）。
【請求項９】
前記接触部分（１２）及び前記非接触部分（１４）は連続していて１つの表面を限定しており、前記表面は前記幅（６４）に平行な且つ前記面（４０）に直角な方向に凸であることを特徴とする請求項４に記載のシェービングエイドボディ（１０）。
【請求項１０】
前記凸は、少なくとも15ｍｍの半径を有する円弧（１３２）を限定していることを特徴とする請求項９に記載のシェービングエイドボディ（１０）。
【請求項１１】
前記凸は、約26ｍｍの半径を有する円弧（１３２）を限定していることを特徴とする請求項９に記載のシェービングエイドボディ（１０）。
【請求項１２】
前記接触部分（１２）及び前記非接触部分（１４）は連続していて１つの表面を限定しており、前記表面は前記長さ（６２）に平行な且つ前記面（４０）に直角な方向に凸であり、また前記幅（６４）に平行な且つ前記面（４０）に直角な方向に凸であることを特徴とする請求項４に記載のシェービングエイドボディ（１０）。
【請求項１３】
前記接触部分（１２）及び前記非接触部分（１４）は連続していて１つの表面を限定しており、前記表面は前記長さ（６２）に平行な且つ前記面（４０）に直角な方向に凹であることを特徴とする請求項４に記載のシェービングエイドボディ（１０）。
【請求項１４】
前記接触部分（１２）及び前記非接触部分（１４）は連続していて１つの表面を限定しており、前記表面は前記幅（６４）に平行な且つ前記面（４０）に直角な方向に凹であることを特徴とする請求項４に記載のシェービングエイドボディ（１０）。
【請求項１５】
前記接触部分（１２）及び前記非接触部分（１４）は連続していて１つの表面を限定しており、前記表面は前記長さ（６２）に平行な且つ前記面（４０）に直角な方向に凹であり、また前記幅（６４）に平行な且つ前記面（４０）に直角な方向に凹であることを特徴とする請求項４に記載のシェービングエイドボディ（１０）。
【請求項１６】
前記接触部分（１２）及び前記非接触部分（１４）は連続していて１つの表面を限定しており、前記表面は前記幅（６４）に平行な且つ前記面（４０）に直角な方向に１つより多くのピークを有していることを特徴とする請求項４に記載のシェービングエイドボディ（１０）。
【請求項１７】
前記接触部分（１２）及び前記非接触部分（１４）は連続していて１つの表面を限定しており、前記表面は前記長さ（６２）に平行な且つ前記面（４０）に直角な方向に凸であることを特徴とする請求項５に記載のシェービングエイドボディ（１０）。
【請求項１８】
前記凸は、少なくとも50ｍｍの半径を有する円弧（１３２）を限定していることを特徴とする請求項１７に記載のシェービングエイドボディ（１０）。
【請求項１９】
前記凸は、約65ｍｍの半径を有する円弧（１３２）を限定していることを特徴とする請求項１７に記載のシェービングエイドボディ（１０）。
【請求項２０】
前記接触部分（１２）及び前記非接触部分（１４）は連続していて１つの表面を限定しており、前記表面は前記幅（６４）に平行な且つ前記面（４０）に直角な方向に凸であることを特徴とする請求項５に記載のシェービングエイドボディ（１０）。
【請求項２１】
前記凸は、少なくとも15ｍｍの半径を有する円弧（１３２）を限定していることを特徴とする請求項２０に記載のシェービングエイドボディ（１０）。
【請求項２２】
前記凸は、約26ｍｍの半径を有する円弧（１３２）を限定していることを特徴とする請求項２０に記載のシェービングエイドボディ（１０）。
【請求項２３】
前記接触部分（１２）及び前記非接触部分（１４）は連続していて１つの表面を限定しており、前記表面は前記長さ（６２）に平行な且つ前記面（４０）に直角な方向に凸であり、また前記幅（６４）に平行な且つ前記面（４０）に直角な方向に凸であることを特徴とする請求項５に記載のシェービングエイドボディ（１０）。
【請求項２４】
前記接触部分（１２）及び前記非接触部分（１４）は連続していて１つの表面を限定しており、前記表面は前記長さ（６２）に平行な且つ前記面（４０）に直角な方向に凹であることを特徴とする請求項５に記載のシェービングエイドボディ（１０）。
【請求項２５】
前記接触部分（１２）及び前記非接触部分（１４）は連続していて１つの表面を限定しており、前記表面は前記幅（６４）に平行な且つ前記面（４０）に直角な方向に凹であることを特徴とする請求項５に記載のシェービングエイドボディ（１０）。
【請求項２６】
前記接触部分（１２）及び前記非接触部分（１４）は連続していて１つの表面を限定しており、前記表面は前記長さ（６２）に平行な且つ前記面（４０）に直角な方向に凹であり、また前記幅（６４）に平行な且つ前記面（４０）に直角な方向に凹であることを特徴とする請求項５に記載のシェービングエイドボディ（１０）。
【請求項２７】
前記接触部分（１２）及び前記非接触部分（１４）は連続していて１つの表面を限定しており、前記表面は前記幅（６４）に平行な且つ前記面（４０）に直角な方向に１つより多くのピークを有していることを特徴とする請求項５に記載のシェービングエイドボディ（１０）。
【請求項２８】
前記シェービングエイドボディ（１０）は、前記シェービングエイドボディ（１０）内に埋め込まれているベース（５０）を有することを特徴とする請求項１に記載のシェービングエイドボディ（１０）。
【請求項２９】
前記ベース（５０）は、前記シェービングエイドボディ（１０）を安全剃刀に結合するための１つまたはそれ以上の機構（５２）を含むことを特徴とする請求項２８に記載のシェービングエイドボディ（１０）。
【手続補正２】
【補正対象書類名】図面
【補正対象項目名】全図
【補正方法】変更
【補正の内容】
【図１】
2009500142.tif 000001
【図２】
2009500142.tif 000002
【図３】
2009500142.tif 000003
【図４】
2009500142.tif 000004
【図５】
2009500142.tif 000005
【図６】
2009500142.tif 000006
【図７】
2009500142.tif 000007
【図８】
2009500142.tif 000008
【図９】
2009500142.tif 000009
【図１０】
2009500142.tif 000010
【図１１】
2009500142.tif 000011
【図１２】
2009500142.tif 000012
【図１３】
2009500142.tif 000013
【図１４】
2009500142.tif 000014